(57)【要約】【課題】他社のリボンカートリッジを誤装着することを抑制することができるリボンカートリッジを提供する。【解決手段】第２繰出しコア２０５と、第２繰出しコア２０５から繰り出された第２インクリボン２１３を巻き取る第２巻取りコア２０７と、第２繰出しコア２０５および第２巻取りコア２０７が回転可能に収容された第２リボンコア収容部２１７を有する第２カートリッジケースとを備え、第２カートリッジケースには、リボンカートリッジ２００が第２カートリッジ装着部に装着され、装着部カバー３が閉じられた際に、第１押え突起に対応する位置に設けられた第１周壁凹部２６７と、第２押え突起に対応する位置に設けられた第２周壁凹部２４９と、第３押え突起に対応する位置に設けられた第３周壁凹部２５９とが、リボンカートリッジ２００の装着方向手前側から見て、第２リボンコア収容部２１７の周縁部に設けられている。【選択図】図６
2019171842.tif 000002
【特許請求の範囲】
【請求項１】
リボンカートリッジが装着されるカートリッジ装着部と、前記カートリッジ装着部に設けられた巻取り軸と、前記カートリッジ装着部を開閉する装着部カバーと、を備え、前記装着部カバーに、第１押え突起と、第２押え突起と、第３押え突起と、が設けられた印刷装置に装着される前記リボンカートリッジであって、
インクリボンが巻回された繰出しコアと、
前記リボンカートリッジが前記カートリッジ装着部に装着された際に、前記巻取り軸が挿入され、前記繰出しコアから繰り出された前記インクリボンを巻き取る巻取りコアと、
前記繰出しコアおよび前記巻取りコアが回転可能に収容されたリボンコア収容部と、前記リボンカートリッジの装着方向手前側の手前側壁部と、前記手前側壁部の周縁部から前記リボンカートリッジの装着方向奥側に延びる周壁部と、を有するカートリッジケースと、を備え、
前記カートリッジケースには、前記リボンカートリッジが前記カートリッジ装着部に装着され、前記装着部カバーが閉じられた際に、前記第１押え突起に対応する位置に設けられ、前記周壁部が凹んだ第１周壁凹部と、前記第２押え突起に対応する位置に設けられ、前記周壁部が凹んだ第２周壁凹部と、前記第３押え突起に対応する位置に設けられ、前記周壁部が凹んだ第３周壁凹部とが、前記リボンカートリッジの装着方向手前側から見て、前記リボンコア収容部の周縁部に設けられていることを特徴とするリボンカートリッジ。
【請求項２】
前記カートリッジケースには、前記リボンカートリッジが前記カートリッジ装着部に装着され、前記装着部カバーが閉じられた際に、前記第１押え突起により押えられる第１押え部と、前記第２押え突起により押えられる第２押え部と、前記第３押え突起により押えられる第３押え部とが、前記装着方向手前側から見て、前記リボンコア収容部の周縁部に設けられていることを特徴とする請求項１に記載のリボンカートリッジ。
【請求項３】
前記第２押え部は、前記装着方向手前側から見て、前記繰出しコアを挟んで前記第１押え部の反対側に設けられ、
前記第３押え部は、前記装着方向手前側から見て、前記巻取りコアを挟んで前記第１押え部の反対側に設けられていることを特徴とする請求項２に記載のリボンカートリッジ。
【請求項４】
前記第１押え部および前記第２押え部は、前記装着方向手前側から見て、前記第１押え部と前記第２押え部とを結ぶ繰出し側仮想線が前記繰出しコアと重なるように、設けられており、
前記第１押え部および前記第３押え部は、前記装着方向手前側から見て、前記第１押え部と前記第３押え部とを結ぶ巻取り側仮想線が前記巻取りコアと重なるように、設けられていることを特徴とする請求項３に記載のリボンカートリッジ。
【請求項５】
前記第１押え部、前記第２押え部および前記第３押え部の少なくとも１つは、前記第１押え突起に対応する前記第１周壁凹部、前記第２押え突起に対応する前記第２周壁凹部および前記第３押え突起に対応する前記第３周壁凹部の前記装着方向奥側の面に設けられていることを特徴とする請求項２ないし４のいずれか一項に記載のリボンカートリッジ。
【請求項６】
前記装着部カバーは、前記装着部カバーの第１方向の一方の側の端部を中心として回転可能に設けられ、
前記第１押え部は、前記リボンカートリッジが前記カートリッジ装着部に装着された際に、前記カートリッジケースの前記第１方向の前記一方の側に位置する前記第１周壁凹部に設けられ、
前記第１押え部が設けられた前記第１周壁凹部は、前記装着方向手前側から見て、前記第１方向の他方の側より前記一方の側の方が長い形状に形成されていることを特徴とする請求項２ないし４のいずれか一項に記載のリボンカートリッジ。
【請求項７】
インクリボンが巻回された繰出しコアと、前記繰出しコアから繰り出された前記インクリボンを巻き取る巻取りコアと、前記繰出しコアおよび前記巻取りコアが回転可能に収容されたリボンコア収容部、を有するカートリッジケースと、を備えたリボンカートリッジであって、前記カートリッジケースには、第１押え部と、第２押え部と、第３押え部とが、前記リボンカートリッジの装着方向手前側から見て、前記リボンコア収容部の周縁部に設けられている前記リボンカートリッジが装着される印刷装置であって、
前記リボンカートリッジが装着されるカートリッジ装着部と、
前記カートリッジ装着部に設けられ、前記リボンカートリッジが前記カートリッジ装着部に装着された際に、前記巻取りコアに挿入される巻取り軸と、
前記カートリッジ装着部を開閉する装着部カバーと、を備え、
前記装着部カバーには、前記リボンカートリッジが前記カートリッジ装着部に装着され、前記装着部カバーが閉じられた際に、前記第１押え部を押さえる第１押え突起と、前記第２押え部を押さえる第２押え突起と、前記第３押え部を押さえる第３押え突起と、が設けられていることを特徴とする印刷装置。
【請求項８】
第１テープと、第１インクリボンと、前記第１インクリボンを巻き取る第１巻取りコアとを収容したテープカートリッジが装着される第１カートリッジ装着部と、
第２インクリボンと、前記第２インクリボンを巻き取る第２巻取りコアとを収容したリボンカートリッジが装着される第２カートリッジ装着部と、
前記第１カートリッジ装着部の一部と前記第２カートリッジ装着部の一部とが重畳する重畳領域と、を備え、
前記重畳領域には、印刷ヘッドと、前記第１カートリッジ装着部に前記テープカートリッジが装着された際に、前記第１巻取りコアに挿入される第１巻取り軸と、が設けられ、
前記第２カートリッジ装着部のうち前記重畳領域から外れた第２非重畳領域には、前記第２カートリッジ装着部に前記リボンカートリッジが装着された際に、前記第２巻取りコアに挿入される第２巻取り軸が設けられていることを特徴とする印刷装置。
【請求項９】
前記第１カートリッジ装着部のうち前記重畳領域から外れた第１非重畳領域をさらに備え、
前記第１非重畳領域には、前記印刷装置外から導入される第２テープを、前記印刷ヘッドへガイドするテープガイドが装着され、
前記第２カートリッジ装着部には、前記リボンカートリッジが装着され、
前記第２テープと、前記第２インクリボンとを送りながら、前記第２テープに印刷を行うことを特徴とする請求項８に記載の印刷装置。
【発明の詳細な説明】
【技術分野】
【０００１】
本発明は、インクリボンを収容したリボンカートリッジ、およびリボンカートリッジが装着される印刷装置に関するものである。
【背景技術】
【０００２】
従来、特許文献１が開示するように、長尺状の印刷媒体に印刷するためのリボンカセットを装着する印刷装置において、リボン装着部の底面に設けられた位置決めピン、支持ピンおよび支持部にそれぞれ対応するように、リボンカセットの装着方向奥側の面に、位置決め穴、ピン穴および前側凹部を設けることが知られている。
【先行技術文献】
【特許文献】
【０００３】
【特許文献１】特開２０１７−０１９２１８号公報
【発明の概要】
【発明が解決しようとする課題】
【０００４】
従来のリボンカートリッジは、カートリッジ装着部の底面内において、リボンカートリッジを位置決めするものではあるが、リボンカートリッジに収容された繰出しコアおよび巻取りコアが巻取り軸に対して傾いた状態で装着されることを、十分に抑制するものではない。繰出しコアおよび巻取りコアが巻取り軸に対して傾いた状態でインクリボンが送られると、インクリボンにシワが生じるおそれがある。また、長尺状の印刷媒体に印刷するためのリボンカートリッジが装着される印刷装置は、複数のメーカーによって販売されており、それらの印刷装置に装着されるリボンカートリッジは、各メーカーによって外形寸法や形状が異なる。ユーザーがそれらの印刷装置を使用する際、他社のリボンカートリッジを誤装着するおそれがある。
【０００５】
本発明は、上述の課題のうち、少なくとも一つを解決することができるリボンカートリッジおよび印刷装置を提供することを課題としている。
【課題を解決するための手段】
【０００６】
本発明のリボンカートリッジは、リボンカートリッジが装着されるカートリッジ装着部と、カートリッジ装着部に設けられた巻取り軸と、カートリッジ装着部を開閉する装着部カバーと、を備え、装着部カバーに、第１押え突起と、第２押え突起と、第３押え突起と、が設けられた印刷装置に装着されるリボンカートリッジであって、インクリボンが巻回された繰出しコアと、リボンカートリッジがカートリッジ装着部に装着された際に、巻取り軸が挿入され、繰出しコアから繰り出されたインクリボンを巻き取る巻取りコアと、繰出しコアおよび巻取りコアが回転可能に収容されたリボンコア収容部と、リボンカートリッジの装着方向手前側の手前側壁部と、手前側壁部の周縁部からリボンカートリッジの装着方向奥側に延びる周壁部と、を有するカートリッジケースと、を備え、カートリッジケースには、リボンカートリッジがカートリッジ装着部に装着され、装着部カバーが閉じられた際に、第１押え突起に対応する位置に設けられ、周壁部が凹んだ第１周壁凹部と、第２押え突起に対応する位置に設けられ、周壁部が凹んだ第２周壁凹部と、第３押え突起に対応する位置に設けられ、周壁部が凹んだ第３周壁凹部とが、リボンカートリッジの装着方向手前側から見て、リボンコア収容部の周縁部に設けられていることを特徴とする。
【０００７】
本発明の印刷装置は、インクリボンが巻回された繰出しコアと、繰出しコアから繰り出されたインクリボンを巻き取る巻取りコアと、繰出しコアおよび巻取りコアが回転可能に収容されたリボンコア収容部、を有するカートリッジケースと、を備えたリボンカートリッジであって、カートリッジケースには、第１押え部と、第２押え部と、第３押え部とが、リボンカートリッジの装着方向手前側から見て、リボンコア収容部の周縁部に設けられているリボンカートリッジが装着される印刷装置であって、リボンカートリッジが装着されるカートリッジ装着部と、カートリッジ装着部に設けられ、リボンカートリッジがカートリッジ装着部に装着された際に、巻取りコアに挿入される巻取り軸と、カートリッジ装着部を開閉する装着部カバーと、を備え、装着部カバーには、リボンカートリッジがカートリッジ装着部に装着され、装着部カバーが閉じられた際に、第１押え部を押さえる第１押え突起と、第２押え部を押さえる第２押え突起と、第３押え部を押さえる第３押え突起と、が設けられていることを特徴とする。
【０００８】
本発明の他の印刷装置は、第１テープと、第１インクリボンと、第１インクリボンを巻き取る第１巻取りコアとを収容したテープカートリッジが装着される第１カートリッジ装着部と、第２インクリボンと、第２インクリボンを巻き取る第２巻取りコアとを収容したリボンカートリッジが装着される第２カートリッジ装着部と、第１カートリッジ装着部の一部と第２カートリッジ装着部の一部とが重畳する重畳領域と、を備え、重畳領域には、印刷ヘッドと、第１カートリッジ装着部にテープカートリッジが装着された際に、第１巻取りコアに挿入される第１巻取り軸と、が設けられ、第２カートリッジ装着部のうち重畳領域から外れた第２非重畳領域には、第２カートリッジ装着部にリボンカートリッジが装着された際に、第２巻取りコアに挿入される第２巻取り軸が設けられていることを特徴とする。
【図面の簡単な説明】
【０００９】
【図１】本発明の一実施形態に係るリボンカートリッジおよびテープガイドが装着された状態のテープ印刷装置の斜視図である。
【図２】リボンカートリッジおよびテープガイドが装着された状態のテープ印刷装置を装着方向手前側から見た図である。
【図３】テープカートリッジが装着された状態のテープ印刷装置を装着方向手前側から見た図である。
【図４】テープ印刷装置を装着方向手前側から見た図である。
【図５】リボンカートリッジの斜視図である。
【図６】リボンカートリッジを装着方向手前側から見た図である。
【図７】リボンカートリッジを−Ｙ側から見た図である。
【図８】リボンカートリッジを＋Ｙ側から見た図である。
【図９】手前側ケースが取り外された状態のリボンカートリッジの斜視図である。
【図１０】手前側ケースが取り外された状態のリボンカートリッジを装着方向手前側から見た図である。
【図１１】奥側ケースを装着方向手前側から見た図である。
【図１２】変形例に係るリボンカートリッジの斜視図である。
【発明を実施するための形態】
【００１０】
以下、添付の図面を参照しつつ、本発明の「リボンカートリッジ」の一実施形態であるリボンカートリッジ２００と、本発明の「印刷装置」の一実施形態であるテープ印刷装置Ｐとについて説明する。なお、以下の図面では、各部の配置関係を明確にするために、ＸＹＺ直交座標系を表示するが、それが本発明を何ら限定するものではないことは、言うまでもない。
【００１１】
［テープ印刷装置］
図１ないし図４に基づいて、テープ印刷装置Ｐについて説明する。テープ印刷装置Ｐには、テープカートリッジ１００と、リボンカートリッジ２００と、テープガイド４００とが、着脱可能に装着される。テープカートリッジ１００には、第１テープ１１１および第１インクリボン１１３が収容されている。リボンカートリッジ２００には、第２インクリボン２１３が収容されている。また、テープ印刷装置Ｐには、テープ印刷装置Ｐ外から第２テープ５００を導入するためのテープ導入口１１が設けられている。テープガイド４００は、テープ導入口１１から導入された第２テープ５００をガイドする。テープ印刷装置Ｐは、図３に示すように、テープカートリッジ１００が装着された状態で、第１テープ１１１に対して印刷を行う第１テープ印刷と、図１および図２に示すように、リボンカートリッジ２００およびテープガイド４００が装着された状態で、第２テープ５００に対して印刷を行う第２テープ印刷と、を実行することができる。
【００１２】
テープ印刷装置Ｐは、装置ケース１と、装着部カバー３と、第１カートリッジ装着部５と、第２カートリッジ装着部７とを備えている。装置ケース１は、略直方体状に形成されている。装置ケース１には、−Ｘ側の面にテープ排出口９が設けられ、＋Ｘ側の面にテープ導入口１１が設けられている。テープ排出口９からは、印刷済みの第１テープ１１１或いは印刷済みの第２テープ５００が排出される。テープ導入口１１には、第２テープ５００がテープ印刷装置Ｐ外から導入される。
【００１３】
装着部カバー３は、＋Ｙ側の端部を中心として回転可能なように、装置ケース１に設けられている。装着部カバー３は、第１カートリッジ装着部５および第２カートリッジ装着部７を開閉する。装着部カバー３は、カバーロック機構（図示省略）により、閉じた状態にロックされる。そして、カバー開放ボタン（図示省略）が押されると、カバーロック機構がアンロック状態となり、装着部カバー３が開かれる。
【００１４】
装着部カバー３の内側の面には、第１押え突起１３と、第２押え突起１５と、第３押え突起１７とが、突出して設けられている。第２カートリッジ装着部７にリボンカートリッジ２００が装着された状態で、装着部カバー３が閉められると、第１押え突起１３、第２押え突起１５、および第３押え突起１７がリボンカートリッジ２００に突き当たる。このため、リボンカートリッジ２００は、第１押え突起１３、第２押え突起１５、および第３押え突起１７により押さえられた状態で装着される。
【００１５】
装着部カバー３の外側の面には、図示省略したが、キーボードおよびディスプレーが設けられている。キーボードは、文字列等の印刷情報や、印刷実行等の各種指示の入力操作を受け付ける。ディスプレーは、キーボードから入力された印刷情報のほか、各種情報を表示する。テープ印刷装置Ｐは、キーボードが印刷実行の入力操作を受け付けると、キーボードから入力された印刷情報に基づいて、印刷処理を実行する。なお、テープ印刷装置Ｐは、キーボードおよびディスプレーに代えて、タッチパネル式ディスプレーなどの入力表示手段を備えた構成でもよい。また、テープ印刷装置Ｐは、パソコン、スマートフォンなどの外部装置から受信した印刷データおよびコマンドに基づいて、印刷処理を実行する構成でもよい。これら外部装置と接続可能な構成とする際、キーボードおよびディスプレーは、設けてもよいし、設けなくてもよい。
【００１６】
第１カートリッジ装着部５および第２カートリッジ装着部７は、装置ケース１の＋Ｚ側の面に設けられている。第１カートリッジ装着部５には、テープカートリッジ１００が着脱可能に装着される。第２カートリッジ装着部７には、リボンカートリッジ２００が着脱可能に装着される。第２カートリッジ装着部７は、本発明の「カートリッジ装着部」の一例である。第１カートリッジ装着部５および第２カートリッジ装着部７は、＋Ｚ側が開放された凹状に形成されている。このため、テープカートリッジ１００およびリボンカートリッジ２００は、それぞれ、第１カートリッジ装着部５および第２カートリッジ装着部７に対して、＋Ｚ側から装着される。なお、以下では、テープカートリッジ１００およびリボンカートリッジ２００の装着方向を、単に「装着方向」という。また、装着方向手前側とは、＋Ｚ側を意味し、装着方向奥側とは、−Ｚ側を意味する。
【００１７】
図４に示すように、第１カートリッジ装着部５の−Ｙ側の部分と、第２カートリッジ装着部７の−Ｘ側の部分とは、共通化されている。ここで、第１カートリッジ装着部５と第２カートリッジ装着部７とが重畳する部分を、重畳領域２１という。また、第１カートリッジ装着部５のうち、重畳領域２１から外れた部分を、第１非重畳領域２３といい、第２カートリッジ装着部７のうち、重畳領域２１から外れた部分を、第２非重畳領域２５という。第１非重畳領域２３は、テープガイド４００が着脱可能に装着されるガイド装着部として機能する。このように、第１カートリッジ装着部５の一部と第２カートリッジ装着部７の一部とが共通化されていることで、第１カートリッジ装着部５と第２カートリッジ装着部７とが別々に設けられた構成に比べ、テープ印刷装置Ｐを小型化することができる。
【００１８】
図３に示すように、第１テープ印刷時には、第１カートリッジ装着部５にテープカートリッジ１００が装着される。この状態で、テープ印刷装置Ｐは、テープカートリッジ１００に収容された第１テープ１１１および第１インクリボン１１３を送りながら、第１テープ１１１に対して印刷を行う。
【００１９】
図１および図２に示すように、第２テープ印刷時には、第１カートリッジ装着部５にテープガイド４００が装着され、第２カートリッジ装着部７にリボンカートリッジ２００が装着される。この状態で、テープ印刷装置Ｐは、テープ導入口１１から導入された第２テープ５００と、リボンカートリッジ２００に収容された第２インクリボン２１３とを送りながら、第２テープ５００に対して印刷を行う。
【００２０】
なお、第２テープ５００は、例えば、ロール状に巻かれたテープロールとして提供される。未使用状態のテープロールにおける第２テープ５００の長さおよびリボンカートリッジ２００に収容された第２インクリボン２１３の長さは、特に限定されるものではないが、本実施形態では、未使用状態のテープカートリッジ１００に収容された第１テープ１１１の長さおよび第１インクリボン１１３の長さよりも長くなっている。このため、例えば、一度に大量のラベルを作成する場合に、第２テープ印刷が実行される。
【００２１】
［テープカートリッジ］
図３に基づいて、テープカートリッジ１００について説明する。テープカートリッジ１００は、テープコア１０１と、第１プラテンローラー１０３と、第１繰出しコア１０５と、第１巻取りコア１０７と、これらを回転可能に収容した第１カートリッジケース１０９とを備えている。テープコア１０１には、第１テープ１１１が巻回されている。第１繰出しコア１０５には、インクが塗布された面を内側にして第１インクリボン１１３が巻回されている。なお、第１カートリッジケース１０９には、収容した第１テープ１１１および第１インクリボン１１３の幅に応じて、厚さ、すなわち装着方向の寸法が異なる複数種のものがある。
【００２２】
第１カートリッジケース１０９は、装着方向手前側から見て、略「Ｌ」字状に形成されている。第１カートリッジケース１０９の＋Ｙ側の略半部には、テープコア収容部１１５が設けられている。テープコア収容部１１５には、テープコア１０１が回転可能に収容されている。
【００２３】
第１カートリッジケース１０９の−Ｙ側の略半部のうち、＋Ｘ側には、第１リボンコア収容部１１７が設けられ、−Ｘ側には、第１ヘッド挿入部（図示省略）が設けられている。第１リボンコア収容部１１７には、第１繰出しコア１０５および第１巻取りコア１０７が回転可能に収容されている。第１ヘッド挿入部、第１繰出しコア１０５および第１巻取りコア１０７は、それぞれ、重畳領域２１に設けられたサーマルヘッド２７、第１繰出し軸２９および第１巻取り軸３１（図４参照）に対応する位置に設けられている。第１ヘッド挿入部には、テープカートリッジ１００が第１カートリッジ装着部５に装着された際に、サーマルヘッド２７が挿入される。第１ヘッド挿入部の周縁部には、第１インクリボン１１３が露出する第１リボン露出部（図示省略）が設けられている。第１繰出しコア１０５から繰り出された第１インクリボン１１３は、第１リボン露出部を通って第１巻取りコア１０７に巻き取られる。なお、サーマルヘッド２７は、「印刷ヘッド」の一例である。
【００２４】
第１カートリッジケース１０９の−Ｘ側の面には、テープ送出口１２３が設けられている。印刷済みの第１テープ１１１は、テープ送出口１２３から第１カートリッジケース１０９外へ送り出される。また、図示省略したが、第１カートリッジケース１０９の＋Ｘ側の面および−Ｘ側の面には、第１フック係合部が設けられている。
【００２５】
［リボンカートリッジの概要］
図２に基づいて、リボンカートリッジ２００の概要について説明する。リボンカートリッジ２００は、第２繰出しコア２０５と、第２巻取りコア２０７と、これらを回転可能に収容した第２カートリッジケース２０９とを備えている。第２繰出しコア２０５には、インクが塗布された面を内側にして第２インクリボン２１３が巻回されている。以下では、第２インクリボン２１３のインクが塗布された面を、インク面２１３ａという。なお、第２カートリッジケース２０９には、収容した第２インクリボン２１３の幅に応じて、厚さの異なる複数種のものがある。
【００２６】
第２カートリッジケース２０９は、装着方向手前側から見て、Ｘ方向に長い略長方形状に形成されている。第２カートリッジケース２０９の＋Ｘ側には、第２リボンコア収容部２１７が設けられ、−Ｘ側には、第２ヘッド挿入部２１９（図５参照）が設けられている。第２リボンコア収容部２１７には、第２繰出しコア２０５および第２巻取りコア２０７が、回転可能に収容されている。第２ヘッド挿入部２１９、第２繰出しコア２０５および第２巻取りコア２０７は、それぞれ、重畳領域２１に設けられたサーマルヘッド２７、第２非重畳領域２５に設けられた第２繰出し軸４５（図４参照）および第２巻取り軸４７に対応する位置に設けられている。第２繰出しコア２０５には第２インクリボン２１３が巻回されており、第２巻取りコア２０７には第２インクリボン２１３が巻き取られる。このため、リボンカートリッジ２００の重心は、第２繰出しコア２０５および第２巻取りコア２０７を収容した第２リボンコア収容部２１７側寄り、すなわちリボンカートリッジ２００の長手方向において、＋Ｘ側寄りに位置している。詳細には、リボンカートリッジ２００の使用初期時における重心は、第２繰出しコア２０５から、後述する繰出し側筒部２７７（図６参照）との中間付近に位置している。この重心は、第２インクリボン２１３の使用に伴い、第２巻取りコア２０７がある＋Ｘ側へ徐々に移動する。なお、第２繰出しコア２０５は、本発明の「繰出しコア」の一例である。第２巻取りコア２０７は、本発明の「巻取りコア」の一例である。第２カートリッジケース２０９は、本発明の「カートリッジケース」の一例である。第２リボンコア収容部２１７は、本発明の「リボンコア収容部」の一例である。第２ヘッド挿入部２１９は、本発明の「ヘッド挿入部」の一例である。
【００２７】
第２ヘッド挿入部２１９には、リボンカートリッジ２００が第２カートリッジ装着部７に装着された際に、サーマルヘッド２７が挿入される。第２ヘッド挿入部２１９の周縁部には、第２インクリボン２１３が露出する第２リボン露出部２２１（図５参照）が設けられている。第２繰出しコア２０５から繰り出された第２インクリボン２１３は、第２リボン露出部２２１を通って第２巻取りコア２０７に巻き取られる。また、第２カートリッジケース２０９の−Ｙ側の面、＋Ｘ側の面および＋Ｙ側の面には、第２フック係合部２２５が設けられている（図５、図７ないし図９参照）。
【００２８】
［テープガイド］
図２に基づいて、テープガイド４００について説明する。テープガイド４００は、ローラー支持部４０１と、第２プラテンローラー４０３とを備えている。ローラー支持部４０１は、第２プラテンローラー４０３を回転可能に支持している。なお、テープガイド４００には、ガイドする第２テープ５００の幅に応じて、厚さの異なる複数種のものがある。
【００２９】
［カートリッジ装着部］
図４に基づいて、第１カートリッジ装着部５および第２カートリッジ装着部７について説明する。上述したように、第１カートリッジ装着部５および第２カートリッジ装着部７は、重畳領域２１と、第１非重畳領域２３と、第２非重畳領域２５とに区分けできる。
【００３０】
重畳領域２１の底面、すなわち重畳領域２１の装着方向奥側の面には、サーマルヘッド２７と、第１繰出し軸２９と、第１巻取り軸３１とが、装着方向手前側に突出して設けられている。サーマルヘッド２７は、第１繰出し軸２９および第１巻取り軸３１と比較して、装着方向手前側への突出量が大きい。なお、図示省略したが、サーマルヘッド２７とテープ排出口９との間には、カッターが設けられている。カッターは、サーマルヘッド２７とテープ排出口９との間の位置で、第１テープ１１１或いは第２テープ５００を切断する。
【００３１】
サーマルヘッド２７は、＋Ｙ側の一部および−Ｚ側を除き、装着方向手前側に突出したヘッドカバー３３に覆われている。第１カートリッジ装着部５にテープカートリッジ１００が装着された際に、ヘッドカバー３３が第１ヘッド挿入部に挿入される。また、第２カートリッジ装着部７にリボンカートリッジ２００が装着された際に、ヘッドカバー３３が第２ヘッド挿入部２１９に挿入される。
【００３２】
第１繰出し軸２９には、第１繰出し回転部材３５が回転可能に設けられている。第１繰出し軸２９は、第１カートリッジ装着部５にテープカートリッジ１００が装着された際に、第１繰出しコア１０５に挿入され、第１繰出し回転部材３５が第１繰出しコア１０５に係合する。また、第１繰出し軸２９は、第２カートリッジ装着部７にリボンカートリッジ２００が装着された際に、リボンカートリッジ２００に設けられた繰出し側筒部２７７（図９参照）に挿入される。
【００３３】
第１巻取り軸３１には、第１巻取り回転部材３７が回転可能に設けられている。第１巻取り軸３１は、第１カートリッジ装着部５にテープカートリッジ１００が装着された際に、第１巻取りコア１０７に挿入され、第１巻取り回転部材３７が第１巻取りコア１０７に係合する。また、第１巻取り軸３１は、第２カートリッジ装着部７にリボンカートリッジ２００が装着された際に、リボンカートリッジ２００に設けられた巻取り側筒部２７９（図９参照）に挿入される。
【００３４】
第１非重畳領域２３の底面には、プラテン軸３９と、２つの第１フック４１とが、装着方向手前側に突出して設けられている。
【００３５】
プラテン軸３９には、プラテン回転部材４３が回転可能に設けられている。プラテン軸３９は、第１カートリッジ装着部５にテープカートリッジ１００が装着された際に、第１プラテンローラー１０３に挿入され、プラテン回転部材４３が第１プラテンローラー１０３に係合する。また、プラテン軸３９は、第１非重畳領域２３にテープガイド４００が装着された際に、第２プラテンローラー４０３に挿入され、プラテン回転部材４３が第２プラテンローラー４０３に係合する。
【００３６】
２つの第１フック４１は、第１非重畳領域２３のＸ方向両端部に設けられており、第１カートリッジ装着部５にテープカートリッジ１００が装着された際に、第１カートリッジケース１０９に設けられた第１フック係合部に係合する。これにより、テープカートリッジ１００が第１カートリッジ装着部５の底面から浮き上がった状態で装着されることが抑制される。
【００３７】
第２非重畳領域２５の底面には、第２繰出し軸４５と、第２巻取り軸４７と、３つの第２フック４９と、受け部５１とが、装着方向手前側に突出して設けられている。また、第２非重畳領域２５の−Ｙ側の内周面には、基板接続部５３が固定されている。
【００３８】
第２繰出し軸４５には、第２繰出し回転部材５５が回転可能に設けられている。第２繰出し軸４５は、第２カートリッジ装着部７にリボンカートリッジ２００が装着された際に、第２繰出しコア２０５に挿入され、第２繰出し回転部材５５が第２繰出しコア２０５に係合する。
【００３９】
第２巻取り軸４７には、第２巻取り回転部材５７が回転可能に設けられている。第２巻取り軸４７は、第２カートリッジ装着部７にリボンカートリッジ２００が装着された際に、第２巻取りコア２０７に挿入され、第２巻取り回転部材５７が第２巻取りコア２０７に係合する。第２巻取り軸４７は、本発明の「巻取り軸」の一例である。
【００４０】
３つの第２フック４９は、第２繰出し軸４５および第２巻取り軸４７を囲むように設けられている。第２フック４９は、第２カートリッジ装着部７にリボンカートリッジ２００が装着された際に、第２カートリッジケース２０９に設けられた第２フック係合部２２５に係合する。
【００４１】
受け部５１は、第２カートリッジ装着部７の＋Ｘ側且つ−Ｙ側の隅部に位置して、設けられている。受け部５１は、リボンカートリッジ２００が第２カートリッジ装着部７に装着された際に、第２カートリッジケース２０９に設けられた受け挿入穴２９７（図１０参照）に挿入される。
【００４２】
基板接続部５３は、第２カートリッジ装着部７の−Ｙ側の内周面において、＋Ｘ側の端部に設けられている。すなわち、基板接続部５３は、受け部５１の−Ｙ側に設けられている。基板接続部５３は、テープ印刷装置Ｐが備える制御回路（図示省略）に接続されている。基板接続部５３は、リボンカートリッジ２００が第２カートリッジ装着部７に装着された際に、リボンカートリッジ２００が備える回路基板３１１（図５参照）と接続される。これにより、制御回路が、回路基板３１１に記憶された各種情報を読み取ることができ、また回路基板３１１に各種情報を書き込むことができる。
【００４３】
このように構成されたテープ印刷装置Ｐにおいて、第１テープ印刷のために、第１カートリッジ装着部５にテープカートリッジ１００が装着されると、プラテン回転部材４３、第１繰出し回転部材３５および第１巻取り回転部材３７が、第１プラテンローラー１０３、第１繰出しコア１０５および第１巻取りコア１０７とそれぞれ係合する。そして、装着部カバー３が閉められると、ヘッド移動機構（図示省略）によりサーマルヘッド２７がプラテン軸３９に向けて移動する。これにより、サーマルヘッド２７と第１プラテンローラー１０３との間に、第１リボン露出部において露出した第１インクリボン１１３が第１テープ１１１と共に挟持される。
【００４４】
この状態で、送りモーター（図示省略）が正方向に回転すると、送りモーターの駆動力が、プラテン回転部材４３、第１巻取り回転部材３７および第２巻取り回転部材５７に伝達される。そして、プラテン回転部材４３に係合した第１プラテンローラー１０３が、装着方向手前側から見て時計回りに回転すると共に、第１巻取り回転部材３７に係合した第１巻取りコア１０７が、装着方向手前側から見て反時計回りに回転する。これにより、テープコア１０１から繰り出された第１テープ１１１が、テープ排出口９に向けて送られると共に、第１繰出しコア１０５から繰り出された第１インクリボン１１３が、第１巻取りコア１０７に巻き取られる。なお、このとき、第２巻取り回転部材５７は、空回り状態となる。
【００４５】
送りモーターが正方向とは逆の戻し方向に回転すると、送りモーターの駆動力が、プラテン回転部材４３、第１繰出し回転部材３５および第２繰出し回転部材５５に伝達される。そして、プラテン回転部材４３に係合した第１プラテンローラー１０３が、装着方向手前側から見て反時計回りに回転すると共に、第１繰出し回転部材３５に係合した第１繰出しコア１０５が、装着方向手前側から見て反時計回りに回転する。これにより、テープコア１０１から繰り出された第１テープ１１１が、テープコア１０１に向けて送られると共に、第１繰出しコア１０５から繰り出された第１インクリボン１１３が、第１繰出しコア１０５に巻き戻される。なお、このとき、第２繰出し回転部材５５は、空回り状態となる。
【００４６】
テープ印刷装置Ｐは、第１テープ印刷時には、送りモーターを正方向に回転させることにより、第１テープ１１１をテープ排出口９に向けて送り、第１インクリボン１１３を第１巻取りコア１０７に巻き取りつつ、サーマルヘッド２７を発熱させることにより、第１テープ１１１に印刷を行う。印刷終了後、テープ印刷装置Ｐは、カッターを切断動作させ、第１テープ１１１の印刷済み部分を切り離す。その後、テープ印刷装置Ｐは、送りモーターを戻し方向に回転させることにより、第１テープ１１１をテープコア１０１に向けて送り、第１インクリボン１１３を第１繰出しコア１０５に巻き戻す。これにより、第１テープ１１１の先端が、サーマルヘッド２７と第１プラテンローラー１０３との挟持位置の近傍、すなわち、印刷位置の近傍にくるまで、第１テープ１１１が引き戻される。このため、次に印刷される第１テープ１１１において、サーマルヘッド２７とカッターとの離間距離に起因して第１テープ１１１の長さ方向前方に生じる余白を、短くすることができる。
【００４７】
一方、第２テープ印刷のために、第２カートリッジ装着部７にリボンカートリッジ２００が装着されると、第２繰出し回転部材５５および第２巻取り回転部材５７が、第２繰出しコア２０５および第２巻取りコア２０７とそれぞれ係合する。さらに、第１非重畳領域２３にテープガイド４００が装着されると、プラテン回転部材４３が第２プラテンローラー４０３と係合する。また、テープ導入口１１から導入された第２テープ５００は、テープガイド４００にセットされる。そして、装着部カバー３が閉められると、サーマルヘッド２７がプラテン軸３９に向けて移動する。これにより、サーマルヘッド２７と第２プラテンローラー４０３との間に、第２リボン露出部２２１において露出した第２インクリボン２１３が第２テープ５００と共に挟持される。
【００４８】
この状態で、送りモーターが正方向に回転すると、送りモーターの駆動力が、プラテン回転部材４３、第１巻取り回転部材３７および第２巻取り回転部材５７に伝達される。そして、プラテン回転部材４３に係合した第２プラテンローラー４０３が、装着方向手前側から見て時計回りに回転すると共に、第２巻取り回転部材５７に係合した第２巻取りコア２０７が、装着方向手前側から見て反時計回りに回転する。これにより、テープ導入口１１から導入された第２テープ５００が、テープ排出口９に向けて送られると共に、第２繰出しコア２０５から繰り出された第２インクリボン２１３が、第２巻取りコア２０７に巻き取られる。なお、このとき、第１巻取り回転部材３７は、空回り状態となる。
【００４９】
送りモーターが戻し方向に回転すると、送りモーターの駆動力が、プラテン回転部材４３、第１繰出し回転部材３５および第２繰出し回転部材５５に伝達される。そして、プラテン回転部材４３に係合した第２プラテンローラー４０３が、装着方向手前側から見て反時計回りに回転すると共に、第２繰出し回転部材５５に係合した第２繰出しコア２０５が、装着方向手前側から見て反時計回りに回転する。これにより、テープ導入口１１から導入された第２テープ５００が、テープ導入口１１に向けて送られると共に、第２繰出しコア２０５から繰り出された第２インクリボン２１３が、第２繰出しコア２０５に巻き戻される。なお、このとき、第１繰出し回転部材３５は、空回り状態となる。
【００５０】
テープ印刷装置Ｐは、第２テープ印刷時には、第１テープ印刷時と同様に、送りモーターを正方向に回転させることにより、第２テープ５００をテープ排出口９に向けて送り、第２インクリボン２１３を第２巻取りコア２０７に巻き取りつつ、サーマルヘッド２７を発熱させることにより、第２テープ５００に印刷を行う。印刷終了後、テープ印刷装置Ｐは、カッターを切断動作させ、第２テープ５００の印刷済み部分を切り離す。その後、テープ印刷装置Ｐは、送りモーターを戻し方向に回転させることにより、第２テープ５００をテープ導入口１１に向けて送ると共に、第２インクリボン２１３を第２繰出しコア２０５に巻き戻す。これにより、第２テープ５００の先端が、サーマルヘッド２７と第２プラテンローラー４０３との挟持位置の近傍、すなわち、印刷位置の近傍にくるまで、第２テープ５００が引き戻される。このため、次に印刷される第２テープ５００において、サーマルヘッド２７とカッターとの離間距離に起因して第２テープ５００の長さ方向前方に生じる余白を、短くすることができる。
【００５１】
［リボンカートリッジの詳細］
図５ないし図１１に基づいて、リボンカートリッジ２００についてさらに説明する。図５に示すように、第２カートリッジケース２０９は、手前側ケース２２７と、奥側ケース２２９とを備えている。手前側ケース２２７は、リボンカートリッジ２００が第２カートリッジ装着部７に装着される際に、装着方向手前側となる。奥側ケース２２９は、リボンカートリッジ２００が第２カートリッジ装着部７に装着される際に、装着方向奥側となる。手前側ケース２２７は、透光性を有する樹脂の成形品であり、奥側ケース２２９は、透光性を有しない樹脂の成形品であるが、手前側ケース２２７および奥側ケース２２９の材質や製法は、これに限定されるものではない。
【００５２】
図５および図６に示すように、手前側ケース２２７は、手前側壁部２３３と、第１周壁部２３５とを備えている。手前側壁部２３３は、リボンカートリッジ２００が第２カートリッジ装着部７に装着される際に、装着方向手前側となる。手前側壁部２３３には、手前側繰出しボス２３７と、手前側巻取り開口２３９とが設けられている。手前側繰出しボス２３７および手前側巻取り開口２３９は、第２リボンコア収容部２１７に設けられている。手前側繰出しボス２３７および手前側巻取り開口２３９は、それぞれ、第２カートリッジ装着部７に設けられた第２繰出し軸４５および第２巻取り軸４７と対応する位置に設けられている。手前側繰出しボス２３７は、手前側壁部２３３の内面から装着方向奥側に突出しており、第２繰出しコア２０５の装着方向手前側の端部が係合している。手前側巻取り開口２３９には、第２巻取りコア２０７の装着方向手前側の端部が係合している。
【００５３】
第１周壁部２３５は、手前側壁部２３３の周縁部から装着方向奥側に延びている。第１周壁部２３５は、−Ｘ側に位置する手前側第１壁部２４１と、−Ｙ側に位置する手前側第２壁部２４３と、＋Ｘ側に位置する手前側第３壁部２４５と、＋Ｙ側に位置する手前側第４壁部２４７とを備えている。手前側第１壁部２４１と手前側第４壁部２４７とが交わる位置には、第２インクリボン２１３が露出する第２リボン露出部２２１が設けられている。第１周壁部２３５は、本発明の「周壁部」の一例である。
【００５４】
図５ないし図７に示すように、手前側第２壁部２４３のＸ方向略中間部には、第２周壁凹部２４９が設けられている。第２周壁凹部２４９は、装着方向手前側から見てＸ方向にやや長い略長方形状に凹んだ形状に形成されている。第２周壁凹部２４９は、手前側第２壁部２４３が装着方向の全体に亘って凹んでいる。第２周壁凹部２４９は、装着部カバー３が閉められる際、第２押え突起１５を、後述する第２押え部３４３へ案内する。すなわち、第２周壁凹部２４９は、リボンカートリッジ２００が第２カートリッジ装着部７に装着され、装着部カバー３が閉められる際、第２押え突起１５に対応する位置にある。
【００５５】
手前側第２壁部２４３の＋Ｘ側の端部には、第４周壁凹部２５１が設けられている。第４周壁凹部２５１は、装着方向手前側から見てＸ方向に長い略長方形状に凹んだ形状に形成されている。第４周壁凹部２５１は、第２周壁凹部２４９と同様に、手前側第２壁部２４３が装着方向の略全体に亘って凹んでいる。手前側第２壁部２４３の＋Ｘ側の領域において、装着方向奥側の端面には、基板抜止め部２５３が装着方向奥側に突出して設けられている。基板抜止め部２５３は、奥側ケース２２９に設けられた基板取付部３０９に取り付けられた回路基板３１１を、基板取付部３０９に対して抜止め状態とする。
【００５６】
なお、手前側第２壁部２４３において、第２周壁凹部２４９よりも−Ｘ側に位置する第１平坦部２５５と、第２周壁凹部２４９および第４周壁凹部２５１の間に位置する第２平坦部２５７とは、略面一になっている。仮に、第２平坦部２５７が設けられておらず、第２周壁凹部２４９と第４周壁凹部２５１とが連なっている構成では、手前側第２壁部２４３を下方に向けた姿勢でリボンカートリッジ２００が机等の載置面に置かれた際に、リボンカートリッジ２００の重心側に位置する第４周壁凹部２５１が載置面に当たり、第１平坦部２５５が載置面に対して斜めに浮いた状態となるおそれがある。この場合、リボンカートリッジ２００が載置面に対してガタつきやすい状態で置かれることになる。これに対し、本実施形態では、第２平坦部２５７が設けられていることで、手前側第２壁部２４３を下方に向けた姿勢でリボンカートリッジ２００が載置面に置かれた際に、第２平坦部２５７が載置面に当たるため、第４周壁凹部２５１が載置面に当たることが抑制され、第１平坦部２５５が載置面に対して斜めに浮いた状態となることが抑制される。このため、リボンカートリッジ２００を載置面に安定した状態で置くことができる。
【００５７】
図５および図６に示すように、手前側第３壁部２４５の−Ｙ側の端部には、第３周壁凹部２５９が設けられている。第３周壁凹部２５９は、装着方向手前側から見てＹ方向に長い略長方形状に凹んだ形状に形成されている。第３周壁凹部２５９の−Ｙ側の端部は、第４周壁凹部２５１の＋Ｘ側の端部と連なっている。第３周壁凹部２５９は、手前側第３壁部２４５の−Ｙ側が、装着方向奥側の端部を残して凹んで形成されている。第３周壁凹部２５９は、装着部カバー３を閉める際、第３押え突起１７を、後述する第３押え部３４５へ案内する。すなわち、第３周壁凹部２５９は、リボンカートリッジ２００を第２カートリッジ装着部７に装着し、装着部カバー３を閉める際、第３押え突起１７に対応する位置にある。
【００５８】
図５、図６および図８に示すように、手前側第４壁部２４７は、手前側第１部分壁部２６１と、手前側第２部分壁部２６３と、手前側第３部分壁部２６５とを備えている。手前側第１部分壁部２６１は、手前側第３壁部２４５の＋Ｙ側の端部から、−Ｘ側に延びている。手前側第２部分壁部２６３は、手前側第１部分壁部２６１の−Ｘ側の端部から、−Ｘ側と−Ｙ側との間の斜め方向に屈曲して延びている。手前側第３部分壁部２６５は、手前側第２部分壁部２６３の−Ｘ側の端部から、手前側第２部分壁部２６３よりもＸ方向と平行に近い角度に屈曲して延びている。
【００５９】
手前側第１部分壁部２６１には、第１周壁凹部２６７が設けられている。第１周壁凹部２６７は、装着方向手前側から見てＹ方向に長く、−Ｙ側の底辺よりも＋Ｙ側の底辺が長い略台形状に凹んだ形状に形成されている。第１周壁凹部２６７は、第３周壁凹部２５９と同様に、手前側第４壁部２４７の一部が、装着方向奥側の端部を残して凹んでいる。第１周壁凹部２６７は、装着部カバー３が閉められる際、第１押え突起１３を、後述する第１押え部３４１へ案内する。すなわち、第１周壁凹部２６７は、リボンカートリッジ２００が第２カートリッジ装着部７に装着され、装着部カバー３が閉められる際、第１押え突起１３に対応する位置にある。
【００６０】
図９に示すように、奥側ケース２２９は、奥側壁部２６９と、第２周壁部２７１とを備えている。奥側壁部２６９は、リボンカートリッジ２００が第２カートリッジ装着部７に装着される際に、装着方向奥側となる。奥側壁部２６９は、手前側ケース２２７の手前側壁部２３３と対向している。
【００６１】
図９ないし図１１に示すように、奥側壁部２６９には、奥側繰出し開口２７３と、奥側巻取り開口２７５と、繰出し側筒部２７７と、巻取り側筒部２７９と、第１リボンガイド２８１と、第２リボンガイド２８３と、受け挿入部２８５とが設けられている。
【００６２】
奥側繰出し開口２７３および奥側巻取り開口２７５は、第２リボンコア収容部２１７に設けられている。奥側繰出し開口２７３および奥側巻取り開口２７５は、それぞれ、第２カートリッジ装着部７に設けられた第２繰出し軸４５および第２巻取り軸４７と対応する位置に設けられている。奥側繰出し開口２７３には、第２繰出しコア２０５の装着方向奥側の端部が係合している。奥側巻取り開口２７５には、第２巻取りコア２０７の装着方向奥側の端部が係合している。以下では、第２インクリボン２１３の送り方向を、単に「送り方向」という。また、送り方向において、上流側とは、第２繰出しコア２０５側を意味し、下流側とは、第２巻取りコア２０７側を意味する。
【００６３】
繰出し側筒部２７７および巻取り側筒部２７９は、第２リボンコア収容部２１７と第２ヘッド挿入部２１９との間に位置して、奥側壁部２６９から装着方向手前側に突出して設けられている。繰出し側筒部２７７および巻取り側筒部２７９は、それぞれ、重畳領域２１に設けられた第１繰出し軸２９および第１巻取り軸３１に対応する位置に設けられ、第１繰出し軸２９および第１巻取り軸３１がリボンカートリッジ２００と干渉することを抑制している。
【００６４】
繰出し側筒部２７７は、有蓋の略円筒状に形成されており、リボンカートリッジ２００が第２カートリッジ装着部７に装着された際に、重畳領域２１に設けられた第１繰出し軸２９が挿入される。これにより、リボンカートリッジ２００が第２カートリッジ装着部７に装着された際に、第１繰出し軸２９がリボンカートリッジ２００と干渉することが抑制される。繰出し側筒部２７７は、第１繰出し軸２９に設けられた第１繰出し回転部材３５との間に隙間が生じる程度の内径を有している。このため、第１繰出し回転部材３５が回転しても、第１繰出し回転部材３５が繰出し側筒部２７７の内周面に対して摺動することがない。なお、繰出し側筒部２７７の装着方向手前側には、手前側ケース２２７に設けられた圧入ピン（図示省略）が圧入する圧入穴２８７が設けられている。
【００６５】
また、繰出し側筒部２７７は、第２繰出しコア２０５の送り方向下流側に位置し、第２繰出しコア２０５から第２リボン露出部２２１へ送られる第２インクリボン２１３をガイドする。すなわち、第１繰出し軸２９が挿入される繰出し側筒部２７７を、第２インクリボン２１３をガイドするガイド部材としても機能させることができる。なお、繰出し側筒部２７７は、手前側ケース２２７に設けられた筒部と、奥側ケース２２９に設けられた筒部と、により構成されてもよいが、本実施形態では、繰出し側筒部２７７が、手前側ケース２２７および奥側ケース２２９の一方、すなわち奥側ケース２２９のみに設けられている。このため、繰出し側筒部２７７の周面に段部が生じることなく、第２インクリボン２１３を適切にガイドすることができる。また、繰出し側筒部２７７の形状は、円筒状に限定されるものではなく、例えば、楕円筒状、半円筒状或いは角筒状でもよい。
【００６６】
巻取り側筒部２７９は、略円筒状に形成されており、リボンカートリッジ２００が第２カートリッジ装着部７に装着された際に、重畳領域２１に設けられた第１巻取り軸３１が挿入される。これにより、リボンカートリッジ２００が第２カートリッジ装着部７に装着された際に、第１巻取り軸３１がリボンカートリッジ２００と干渉することが抑制される。巻取り側筒部２７９は、第１巻取り軸３１に設けられた第１巻取り回転部材３７との間に隙間が生じる程度の内径を有している。このため、第１巻取り回転部材３７が回転しても、第１巻取り回転部材３７が巻取り側筒部２７９の内周面に対して摺動することがない。
【００６７】
また、巻取り側筒部２７９は、第２リボン露出部２２１の送り方向下流側に位置し、第２リボン露出部２２１から第２巻取りコア２０７へ送られる第２インクリボン２１３をガイドする。すなわち、第１巻取り軸３１が挿入される巻取り側筒部２７９を、第２インクリボン２１３をガイドするガイド部材としても機能させることができる。なお、巻取り側筒部２７９は、手前側ケース２２７に設けられた筒部と、奥側ケース２２９に設けられた筒部と、により構成されてもよいが、本実施形態では、巻取り側筒部２７９が、手前側ケース２２７および奥側ケース２２９の一方、すなわち奥側ケース２２９のみに設けられている。このため、巻取り側筒部２７９の周面に段部が生じることなく、第２インクリボン２１３を適切にガイドすることができる。また、巻取り側筒部２７９の形状は、繰出し側筒部２７７の形状と同様に、円筒状に限定されるものではなく、例えば、楕円筒状、半円筒状或いは角筒状でもよい。
【００６８】
第１リボンガイド２８１は、巻取り側筒部２７９よりも第２インクリボン２１３の送り方向下流側の位置で、第２インクリボン２１３をガイドする。第１リボンガイド２８１は、奥側壁部２６９と一体に形成されている。第１リボンガイド２８１は、第１ガイド本体２８９と、２つの第１ガイドリブ２９１とを備えている。第１ガイド本体２８９は、略円柱状に形成されており、第２インクリボン２１３のインク面２１３ａと接触し、第２インクリボン２１３をガイドする。２つの第１ガイドリブ２９１は、第１ガイド本体２８９の周面から＋Ｘ側および−Ｙ側に突出している。第１ガイドリブ２９１は、第１ガイド本体２８９が、適度に張った状態で送られる第２インクリボン２１３から受ける圧力により傾斜することを抑制する。
【００６９】
第２リボンガイド２８３は、第１リボンガイド２８１よりも送り方向下流側の位置で、第２インクリボン２１３をガイドする。第２リボンガイド２８３は、奥側壁部２６９と一体に形成されている。第２リボンガイド２８３は、第１リボンガイド２８１と同様に、第２ガイド本体２９３と、２つの第２ガイドリブ２９５とを備えている。第２ガイド本体２９３は、略円柱状に形成されており、第２インクリボン２１３のインク面２１３ａとは反対側の面と接触し、第２インクリボン２１３をガイドする。２つの第２ガイドリブ２９５は、第２ガイド本体２９３の周面から−Ｘ側および＋Ｙ側に突出している。第２ガイドリブ２９５は、第２ガイド本体２９３が、第２インクリボン２１３から受ける圧力により傾斜することを抑制する。
【００７０】
受け挿入部２８５は、奥側壁部２６９の＋Ｘ側且つ−Ｙ側の隅部に位置して、装着方向手前側に突出して設けられている。受け挿入部２８５には、受け挿入穴２９７が、装着方向に貫通して設けられている。受け挿入穴２９７には、リボンカートリッジ２００が第２カートリッジ装着部７に装着された際に、受け部５１が挿入される。
【００７１】
第２周壁部２７１は、奥側壁部２６９の周縁部から装着方向手前側に延びている。第２周壁部２７１の装着方向手前側の端面は、手前側ケース２２７の第１周壁部２３５の装着方向奥側の端面と接している。第２周壁部２７１は、−Ｘ側に位置する奥側第１壁部２９９と、−Ｙ側に位置する奥側第２壁部３０１と、＋Ｘ側に位置する奥側第３壁部３０３と、＋Ｙ側に位置する奥側第４壁部３０５とを備えている。奥側第１壁部２９９と奥側第４壁部３０５とが交わる位置には、第２リボン露出部２２１が設けられている。
【００７２】
図７、図９ないし図１１に示すように、奥側第２壁部３０１の＋Ｘ側の端部には、上記の第４周壁凹部２５１に対応して、奥側周壁凹部３０７が設けられている。奥側周壁凹部３０７は、第４周壁凹部２５１と同様に、装着方向手前側から見てＸ方向に長い略長方形状に凹んだ形状に形成されている。奥側周壁凹部３０７の＋Ｘ側、且つ＋Ｙ側の領域には、基板取付部３０９が設けられている。基板取付部３０９には、回路基板３１１が取り付けられている。回路基板３１１は、記憶素子を備えている。記憶素子には、例えば、第２インクリボン２１３の幅、第２繰出しコア２０５に巻回されている第２インクリボン２１３の残量などの情報が記憶される。また、基板取付部３０９が奥側周壁凹部３０７の＋Ｘ側、且つ＋Ｙ側の領域に設けられているため、例えばリボンカートリッジ２００を誤って落下させた場合にも、基板取付部３０９に取り付けられた回路基板３１１が床面等に当たることが抑制される。これにより、回路基板３１１にキズや汚れが付くことを抑制することができる。
【００７３】
奥側第２壁部３０１のＸ方向略中間部、すなわち第２周壁凹部２４９に対応する位置には、装着方向手前側の端面から装着方向手前側に突出した周壁凸部３１３が設けられている。周壁凸部３１３は、装着方向奥側から第２周壁凹部２４９内に挿入されている。
【００７４】
図８、図１０および図１１に示すように、奥側第４壁部３０５は、奥側第１部分壁部３１５と、奥側第２部分壁部３１７と、奥側第３部分壁部３１９とを備えている。奥側第１部分壁部３１５は、奥側第３壁部３０３の＋Ｙ側の端部から、−Ｘ側に延びている。奥側第２部分壁部３１７は、奥側第１部分壁部３１５の−Ｘ側の端部から、−Ｘ側と−Ｙ側との間の斜め方向に屈曲して延びている。奥側第３部分壁部３１９は、奥側第２部分壁部３１７の−Ｘ側の端部から、奥側第２部分壁部３１７よりもＸ方向と平行に近い角度に屈曲して延びている。
【００７５】
図５、図７ないし図９に示すように、奥側第２壁部３０１、奥側第３壁部３０３および奥側第２部分壁部３１７には、第２フック係合部２２５が設けられている。すなわち、３つの第２フック係合部２２５は、装着方向手前側から見て、第２リボンコア収容部２１７の周縁部に設けられている。第２フック係合部２２５には、リボンカートリッジ２００が第２カートリッジ装着部７に装着された際に、第２フック４９が係合する。これにより、リボンカートリッジ２００が第２カートリッジ装着部７の底面から浮き上がった状態で装着されることが抑制される。
【００７６】
［押え部］
図６に基づいて、リボンカートリッジ２００に設けられた第１押え部３４１、第２押え部３４３、および第３押え部３４５について説明する。第１押え部３４１、第２押え部３４３、および第３押え部３４５は、装着部カバー３が閉じられた際に、装着部カバー３に設けられた第１押え突起１３、第２押え突起１５、および第３押え突起１７によりそれぞれ押えられる箇所である。
【００７７】
第１押え部３４１は、第１周壁凹部２６７の装着方向奥側の面に設けられている。第２押え部３４３は、第２周壁凹部２４９の装着方向奥側の面、すなわち周壁凸部３１３の装着方向手前側の面に設けられている。第３押え部３４５は、第３周壁凹部２５９の装着方向奥側の面に設けられている。第２押え部３４３は、周壁凸部３１３、すなわち、奥側ケース２２９の一部を押える。第２押え部３４３は、第１押え部３４１および第３押え部３４５と比較して、上述したリボンカートリッジ２００の使用初期時における重心に最も近い位置に設けられている。そのため、第２押え部３４３は、３つの押え部の中で最も重要な押え部であり、奥側ケース２２９のみを押えることで、リボンカートリッジ２００の装着方向における寸法バラツキの影響を低減することができる。
【００７８】
装着部カバー３には、第１押え突起１３、第２押え突起１５、および第３押え突起１７が、それぞれ、第１押え部３４１、第２押え部３４３、および第３押え部３４５と対応する位置に設けられている。
【００７９】
ここで、装着部カバー３は、上述したように、装着部カバー３の＋Ｙ側の端部を中心として回転可能に設けられている。このため、装着部カバー３に設けられた第１押え突起１３の先端部の移動軌跡は、円弧状となる。すなわち、第１押え突起１３の先端部は、装着部カバー３が閉じられる際に、第２カートリッジ装着部７に進入した後、Ｙ方向において、−Ｙ側から＋Ｙ側に移動する。これに対し、第１押え突起１３が設けられた第１周壁凹部２６７は、上述したように、装着方向手前側から見て、Ｙ方向に長く、−Ｙ側の底辺よりも＋Ｙ側の底辺が長い略台形状に凹んだ形状に形成されている。これにより、装着部カバー３が閉じられる際に、第１押え突起１３の先端部が、第１周壁凹部２６７の装着方向手前側の縁部に当たることなく、第１周壁凹部２６７の装着方向奥側の面に設けられた第１押え部３４１を押えることができる。また、第１周壁凹部２６７は、装着方向手前側から見て、略台形状に限られず、例えば、＋Ｙ方向側に拡開する三角形状（Ｖ字状）でもよいし、−Ｙ側の長方形とそれよりもＸ方向の寸法が長い＋Ｙ側の長方形とが連なった形状（Ｔ字状またはＹ字状）でもよい。なお、第１周壁凹部２６７は、−Ｙ側より＋Ｙ側を長くするのが好ましいが、第１押え突起１３の先端部の移動軌跡や第２インクリボン２１３の収容量等に影響しなければ、＋Ｙ側より−Ｙ側を長くしてもよいし、＋Ｙ側と−Ｙ側が同じ長さであってもよい。なお、Ｙ方向は、本発明の「第１方向」の一例である。また、＋Ｙ側は、本発明の「第１方向の一方の側」の一例である。−Ｙ側は、本発明の「第１方向の他方の側」の一例である。
【００８０】
第１押え部３４１、第２押え部３４３および第３押え部３４５は、装着方向手前側から見て、第２リボンコア収容部２１７を囲むように、第２リボンコア収容部２１７の周縁部に設けられている。このため、装着部カバー３が閉じられると、第１押え突起１３、第２押え突起１５および第３押え突起１７により、第２リボンコア収容部２１７の周縁部が押さえられる。これにより、第２リボンコア収容部２１７に収容された第２繰出しコア２０５および第２巻取りコア２０７が、第２繰出し軸４５および第２巻取り軸４７に対して傾くことが抑制される。
【００８１】
第２押え部３４３は、装着方向手前側から見て、第２繰出しコア２０５を挟んで第１押え部３４１の反対側に設けられている。より具体的には、第１押え部３４１および第２押え部３４３は、装着方向手前側から見て、第１押え部３４１と第２押え部３４３とを結ぶ繰出し側仮想線３４９が、第２繰出しコア２０５と少なくとも一部が重なるように、設けられている。このため、第１押え突起１３および第２押え突起１５により、第２繰出しコア２０５の周縁部をバランス良く押さえることができる。
【００８２】
第３押え部３４５は、装着方向手前側から見て、第２巻取りコア２０７を挟んで第１押え部３４１の反対側に設けられている。より具体的には、第１押え部３４１および第３押え部３４５は、装着方向手前側から見て、第１押え部３４１と第３押え部３４５とを結ぶ巻取り側仮想線３５１が、第２巻取りコア２０７と少なくとも一部が重なるように、設けられている。このため、第１押え突起１３および第３押え突起１７により、第２巻取りコア２０７の周縁部をバランス良く押さえることができる。
【００８３】
上述のように、第１押え突起１３および第２押え突起１５により、第２繰出しコア２０５の周縁部を押さえ、また、第１押え突起１３および第３押え突起１７により、第２巻取りコア２０７の周縁部を押さえている。このため、第２インクリボン２１３の使用に伴い、第２リボンコア収容部２１７内において重心の位置が変化したとしても、第２繰出しコア２０５および第２巻取りコア２０７が、第２繰出し軸４５および第２巻取り軸４７に対して傾くことが抑制される。
【００８４】
以上のように、本実施形態のリボンカートリッジ２００は、第２繰出しコア２０５と、第２巻取りコア２０７と、第２カートリッジケース２０９とを備えている。第２繰出しコア２０５には、第２インクリボン２１３が巻回されている。第２巻取りコア２０７は、リボンカートリッジ２００が第２カートリッジ装着部７に装着された際に、第２巻取り軸４７が挿入され、第２繰出しコア２０５から繰り出された第２インクリボン２１３を巻き取る。第２カートリッジケース２０９は、第２繰出しコア２０５および第２巻取りコア２０７が回転可能に収容された第２リボンコア収容部２１７を有する。第２カートリッジケース２０９には、リボンカートリッジ２００が第２カートリッジ装着部７に装着され、装着部カバー３が閉じられた際に、第１押え突起１３に押さえられる第１押え部３４１と、第２押え突起１５に押さえられる第２押え部３４３と、第３押え突起１７に押さえられる第３押え部３４５とが、装着方向手前側から見て、第２リボンコア収容部２１７の周縁部に設けられている。また、第２カートリッジケース２０９には、リボンカートリッジ２００が第２カートリッジ装着部７に装着され、装着部カバー３が閉じられた際に、第１押え突起１３に対応する位置にある第１周壁凹部２６７と、第２押え突起１５に対応する位置にある第２周壁凹部２４９と、第３押え突起１７に対応する位置にある第３周壁凹部２５９とが、装着方向手前側から見て、第２リボンコア収容部２１７の周縁部に設けられている。
【００８５】
また、本実施形態のテープ印刷装置Ｐは、第２カートリッジ装着部７と、第２巻取り軸４７と、装着部カバー３とを備えている。第２カートリッジ装着部７には、リボンカートリッジ２００が装着される。第２巻取り軸４７は、第２カートリッジ装着部７に設けられ、リボンカートリッジ２００が第２カートリッジ装着部７に装着された際に、第２巻取りコア２０７に挿入される。装着部カバー３は、第２カートリッジ装着部７を開閉する。装着部カバー３には、リボンカートリッジ２００が第２カートリッジ装着部７に装着され、装着部カバー３が閉じられた際に、第１押え部３４１を押える第１押え突起１３と、第２押え部３４３を押える第２押え突起１５と、第３押え部３４５を押える第３押え突起１７と、が設けられている。
【００８６】
この構成によれば、装着部カバー３が閉じられると、第１押え突起１３、第２押え突起１５および第３押え突起１７により、第２リボンコア収容部２１７の周縁部が押さえられる。これにより、第２リボンコア収容部２１７に収容された第２繰出しコア２０５および第２巻取りコア２０７が、第２巻取り軸４７に対して傾くことが抑制される。したがって、第２インクリボン２１３が第２繰出しコア２０５から第２巻取りコア２０７へ送られる際に、第２インクリボン２１３にシワが生じることを抑制することができる。同様に、第２インクリボン２１３が第２巻取りコア２０７から第２繰出しコア２０５へ巻き戻される際に、第２インクリボン２１３にシワが生じることを抑制することができる。また、リボンカートリッジ２００には、第１押え突起１３、第２押え突起１５および第３押え突起１７に対応した位置に、第１周壁凹部２６７、第２周壁凹部２４９および第３周壁凹部２５９がそれぞれ設けられている。これにより、ユーザーが他社のリボンカートリッジを第２カートリッジ装着部７に誤装着したとしても、容易に誤装着に気づくことができる。
【００８７】
なお、本実施形態では、上述したように、リボンカートリッジ２００が第２カートリッジ装着部７の底面から浮き上がった状態で装着されることを抑制するために、第２カートリッジ装着部７に第２フック４９が設けられている。もっとも、第２フック４９の弾性力は、リボンカートリッジ２００の着脱操作性を考慮して、それほど強いものではない。そのため、第２フック４９は、第２繰出しコア２０５および第２巻取りコア２０７が、第２巻取り軸４７に対して傾くことを十分に抑制するものではない。
【００８８】
［変形例］
本発明は、上記の実施形態に限定されず、その趣旨を逸脱しない範囲で種々の構成を採用可能であることは言うまでもない。例えば、上記の実施形態は、上述したほか、以下のような形態に変更することができる。
【００８９】
第１押え突起１３、第２押え突起１５、および第３押え突起１７の少なくとも一つが、弾性を有した構成でもよい。ここでの弾性を有した構成として、押え突起の先端部に、弾性部材を取り付けた構成や、押え突起内部または先端部に、ばね性を有する部材を組み込んだ構成を含めてもよい。この構成では、第１押え突起１３、第２押え突起１５、および第３押え突起１７により、それぞれ第１押え部３４１、第２押え部３４３、および第３押え部３４５を適度に押えることができる。また、第１押え部３４１、第２押え部３４３、および第３押え部３４５の少なくとも一つが、装着方向手前側に弾性部材を有した構成でもよい。この構成では、第２カートリッジケース２０９の装着方向における寸法バラツキの影響を低減し、第１押え突起１３、第２押え突起１５、および第３押え突起１７により、それぞれ第１押え部３４１、第２押え部３４３、および第３押え部３４５を適度に押えることができる。また、これらの構成では、第１押え突起１３、第２押え突起１５、および第３押え突起１７の突出高さを小さくすることで、各押え突起の強度を向上することができる。
【００９０】
第１押え部３４１は、第１周壁凹部２６７の装着方向奥側の面に設けられた構成に限定されるものではなく、例えば、手前側壁部２３３に設けられた構成でもよい。また、上述したように、第２カートリッジケース２０９には、収容した第２インクリボン２１３の幅に応じて、厚さの異なる複数種のものがある。このため、厚い第２カートリッジケース２０９においては、第１押え部３４１が第１周壁凹部２６７の装着方向奥側の面に設けられ、薄い第２カートリッジケース２０９においては、第１押え部３４１が手前側壁部２３３に設けられるようにしてもよい。第２押え部３４３および第３押え部３４５についても同様である。
【００９１】
リボンカートリッジ２００は、印刷媒体が収容されていない構成に限定されるものではなく、印刷媒体が収容された構成でもよい。
【００９２】
テープ印刷装置Ｐは、第１繰出し軸２９を備えていない構成でもよく、第２繰出し軸４５を備えていない構成でもよい。
【００９３】
リボンカートリッジ２００が装着される印刷装置は、第１テープ１１１や第２テープ５００のように、テープ状の印刷媒体に印刷を行う構成に限定されるものではない。すなわち、本発明の「印刷装置」は、例えば、ロール紙や枚葉紙に印刷を行うものでもよい。
【００９４】
図１２に示すように、変形例のリボンカートリッジ３００は、リボン部手前側ケース３５３と、ローラー部手前側ケース３５５と、共通奥側ケース３５７とを備えている。リボン部手前側ケース３５３は、リボン部手前壁部３５９と、リボン部手前壁部３５９の周縁部から装着方向奥側に突出したリボン部手前側周壁部３６１とを備えている。ローラー部手前側ケース３５５は、ローラー部手前壁部３６３と、ローラー部手前壁部３６３の周縁部から装着方向奥側に突出したローラー部手前側周壁部３６５とを備えている。共通奥側ケース３５７は、共通奥壁部３６７と、共通奥壁部３６７から装着方向手前側に突出したリボン部奥側周壁部３６９およびローラー部奥側周壁部３７１とを備えている。
【００９５】
リボン部手前側ケース３５３と共通奥側ケース３５７とは、リボン部手前側周壁部３６１とリボン部奥側周壁部３６９とを突き合わせるようにして組み合され、インクリボン収容部３７３の外殻を構成している。インクリボン収容部３７３は、実施形態のリボンカートリッジ２００と略同様に構成されている。ローラー部手前側ケース３５５と共通奥側ケース３５７とは、ローラー部手前側周壁部３６５とローラー部奥側周壁部３７１とを突き合わせるようにして組み合され、ローラー収容部３７５の外殻を構成している。ローラー収容部３７５は、第２プラテンローラー４０３と同様のプラテンローラーを回転可能に支持、および収納し、実施形態のテープガイド４００と略同様に構成されている。インクリボン収容部３７３とローラー収容部３７５とは、共通奥壁部３６７を介して、一体に形成されている。すなわち、リボンカートリッジ３００は、実施形態のリボンカートリッジ２００に相当するインクリボン収容部３７３と、実施形態のテープガイド４００に相当するローラー収容部３７５とが、一体化されたものである。また、リボン部手前側ケース３５３とローラー部手前側ケース３５５との間に、装置ケース１外から導入された第２テープ５００が送られる第２テープ経路３７７が設けられている。
【符号の説明】
【００９６】
２００…リボンカートリッジ、２０５…第２繰出しコア、２０７…第２巻取りコア、２１３…第２インクリボン、２１７…第２リボンコア収容部、２１９…第２ヘッド挿入部、２２１…第２リボン露出部、２３１…摘み部、２３３…手前側壁部、２３５…第１周壁部、２３７…手前側繰出しボス、２３９…手前側巻取り開口、２４１…手前側第１壁部、２４３…手前側第２壁部、２４５…手前側第３壁部、２４７…手前側第４壁部、２４９…第２周壁凹部、２５１…第４周壁凹部、２５５…第１平坦部、２５７…第２平坦部、２５９…第３周壁凹部、２６１…手前側第１部分壁部、２６３…手前側第２部分壁部、２６５…手前側第３部分壁部、２６７…第１周壁凹部、２７７…繰出し側筒部、２７９…巻取り側筒部、３４１…第１押え部、３４３…第２押え部、３４５…第３押え部、３４９…繰出し側仮想線、３５１…巻取り側仮想線。
【図１】
2019171842.tif 000003
【図２】
2019171842.tif 000004
【図３】
2019171842.tif 000005
【図４】
2019171842.tif 000006
【図５】
2019171842.tif 000007
【図６】
2019171842.tif 000008
【図７】
2019171842.tif 000009
【図８】
2019171842.tif 000010
【図９】
2019171842.tif 000011
【図１０】
2019171842.tif 000012
【図１１】
2019171842.tif 000013
【図１２】
2019171842.tif 000014